(57)【特許請求の範囲】
【請求項１】
吸入口（３Ａ）及び排気口（２Ａ）を有するファンケース（１）と、該ファンケース（１）に収納され、モーターにより回転駆動されるファン（６）とからなり、前記ファンケース（１）の吸入口（３Ａ）はベルマウス状に形成してある送風ファン装置において、平板体からなる１枚のスタビライザー（８）を、前記ベルマウス状吸入口（３Ａ）の直径方向中心線上に位置させ、該吸入口（３Ａ）の前方で前記ファンケース（１）から突出した状態で開口面（Ａ）に対して垂直に設けたことを特徴とする送風ファン装置。
【発明の詳細な説明】
【０００１】
【発明の属する技術分野】
本発明は、建屋内の換気や、工場、マンホール、坑道等の作業現場における送風、その他種々の換気や送風のために使用する送風ファン装置に関する。
【０００２】
【従来の技術】
従来の送風ファン装置である換気ファン装置は、吸入口及び排気口を有するファンケースと、該ファンケースに格納され、モーターにより回転駆動されるファンとから構成してある。また、吸い込み口及び排出口を設けた箱形のアウターケーシング内に上記ファンケースを格納したタイプのものもある。そして、これらの換気ファン装置は取付金具を介して建屋の壁等に取付けて使用している。また、ファンケースの吸入口は流入する空気の流れを円滑にして吸引効率を高めるために、開口縁を外側から内側に巻き込むように湾曲状に屈曲させた形状、所謂ベルマウス状にしてあるのが一般的である。
【０００３】
【発明が解決しようとする課題】
上述した換気ファン装置において、ファンケース内でファンは一定方向に回転しており、ベルマウス状吸入口を経てファンケース内に吸引される空気はファンの回転方向と同方向のうず巻き状となって流入する。このため、ファンの回転力と空気流の摩擦力の相乗作用により、ファンケースの吸入口周辺に同方向への回転力が生じこれが振動や騒音を発生させ、またファンケースやアウターケーシングに接続したダクトを振動させるという問題が起きている。
【０００４】
このような振動や騒音は設置した当初には顕在化しない場合でも、使用期間の経過に伴って取付金具の緩みや変形等が要因となって大きくなる。そこで、従来はこのような障害が生じた時点でファンケースやアウターケーシングと取り付け面との間に防振ゴムを介装することにより振動を抑制するといった対策が執られている。しかし、壁等に一旦取り付けた後に防振ゴムを介装する作業は面倒であるし、設置場所によっては取付が困難な場合もある。
【０００５】
上述した換気ファン装置の振動や騒音を抑制する手段として、吸入口の前方にハニカム状の整流格子を設けたものが従来提案されている。しかし、整流格子は空気抵抗により吸入効率が良くないという欠点や、使用に伴って多数の小孔内に埃が詰まるために吸引力が低下するという欠点があり、このために定期的な清掃が必要となるという問題もある。また、ファンケースにダクトを直接接続しないアウターケーシングの場合には、この整流格子を取り付けることは不可能でもある。
【０００６】
本発明は上述した従来技術の欠点に鑑みなされたもので、ベルマウス状吸入口の周辺で発生する空気の渦巻き流を抑制することに着目し、極めて簡単な構造でありながら、吸入効率を損なうことなく振動及び騒音を抑制することができるようにした送風ファン装置を提供することを目的とする。
【０００７】
【課題を解決するための手段】
上述した課題を解決するために構成された本発明の手段は、吸入口（３Ａ）及び排気口（２Ａ）を有するファンケース（１）と、該ファンケース（１）に収納され、モーターにより回転駆動されるファン（６）とからなり、前記ファンケース（１）の吸入口（３Ａ）はベルマウス状に形成してある送風ファン装置において、平板体からなる１枚のスタビライザー（８）を、前記ベルマウス状吸入口（３Ａ）の直径方向中心線上に位置させ、該吸入口（３Ａ）の前方で前記ファンケース（１）から突出した状態で開口面（Ａ）に対して垂直に設けたことにある。
【０００８】
【発明の実施の形態】
以下、本発明の実施の形態を図面に基づき詳述する。図において、１は送風ファン装置としての換気ファン装置を構成し、金属板により形成したファンケースを示し、該ファンケース１は排気口２Ａが形成してある円胴部２と、該円胴部２の前側に設けられ、中央にベルマウス状の吸入口３Ａが開口した前蓋部３と、該前蓋部３に対面して円胴部２の後側に設けられた円板からなる後蓋部４と、円胴部２の排気口２Ａから外側に突設した排気筒５とから構成してある。６は吸入口３Ａに対向してファンケース１内に設けたシロッコファンで、該シロッコファン６は後蓋部４に取り付けた電動モーター７により回転駆動されるものである。
【０００９】
８は吸入口３Ａの前方に位置してファンケース１に設けたスタビライザーで、該スタビライザー８は吸入口３Ａの直径より長い１枚の金属製平板から形成してあり、長手方向両端側には９０度折り曲げて突出させた一対の取付片８Ａ、８Ａが形成してある。そして、スタビライザー８はファンケース２の前蓋部３にねじ止めすることにより、吸入口３Ａの開口面Ａに対して垂直の状態に立設してある。
【００１０】
本実施の形態は上述の構成からなり、シロッコファン６を回転駆動することにより屋内の空気を吸入口３Ａから吸入し、排気口２Ａから排気筒５介して外部に放出する換気ファン装置としての作動は従来技術のものと異なるところはない。しかし、吸入口３Ａの前方にスタビライザー８を設けた構成にしたから、吸引される空気は吸入口３Ａの前方で渦巻き状になるのが阻止されると共に、２つに分断されることにより小さな乱流となって流入する。また、流入する空気の回転がスタビライザー８に当って打ち消される結果、ファンケース１の振動とこれに伴う騒音を低減することができる。
【００１１】
図３乃至図６は本実施の形態の変形例を示す。図３において、１１はスタビライザー１１で、該スタビライザー１１は平板からなる３枚の制御板１２、１２、１２を周方向に１２０度離間して略Ｙ字状に連結した組み合わせ体に構成したものからなっている。１２Ａは各制御板１２に設けた取付片である。図４において、１３は他のスタビライザーで、該スタビライザー１３は平板からなる４枚の制御板１４、１４、・・を十字状に連結した組み合わせ体に構成したもので、各制御板１４には取付片１４Ａが設けてある。
【００１２】
また図５は、ファンケース１をアウターケーシング２１に格納した送風ファン装置を示す。ここで、アウターケーシング２１は略長方形の枠板部２２と、該枠板部２２の前面に設けられ、ファンケース１の吸入口３Ａに対向して略中央に流入口２３Ａが形成してある前板部２３と、枠板部２２の後面に設けられた後板部２４とから構成してあり、流入口２３Ａには導入筒２５が設けてある。また枠板部２２の上面板２２Ａには排気筒５が挿嵌する接続筒２６が挿装してある。
【００１３】
上述の構成においても、導入筒２５から流入した空気は吸入口３Ａに吸入される前にスタビライザー８によって渦巻き状になるのが阻止され、空気流が分断されることにより、ファンケース１の振動が抑制され、またアウターケーシング２１の振動も抑制されることにより、騒音も低減できる。
【００１４】
なお、スタビライザー８はファンケース１に換えてアウターケーシング２１の前板部２３に着設する構成にしてもよい。また、スタビライザー２７は、図６に示すように平板からなる３枚の制御板２８、２８、２８を周方向に１２０度離間して略Ｙ字状に連結した組み合わせ体に構成し、各制御板２８の先端に取付片２８Ａを設けてアウターケーシング２１の枠板部２２内面に取着する構成にしてもよいのであって、スタビライザーは適宜の方法で取着できるものである。
【００１５】
なお、本実施の形態において、スタビライザー８はファンケースの前蓋部３に着設する構成にしたが、スタビライザーを前蓋部と合成樹脂材により一体成型してもよいものである。
【００１６】
また、本実施の形態ではファンケース１内にシロッコファン６を設けた例を挙げたが、ターボファンやラジアルファンを用いた送風ファン装置であってもよいものである。
【００１７】
【発明の効果】
本発明は以上詳述した如く構成したから、下記の諸効果を奏する。
（１）ベルマウス状の吸入口の前方に位置してファンケースにスタビライザーを設け、吸引される空気が渦巻き状に流入するのを抑制すると共に渦巻き流を分断するようにしたから、渦巻き流により生じるファンケースの振動とそれに伴う騒音を防止することができる。
（２）スタビライザーはファンケースの前面に前方に突出した状態で取着するから、設置後のファンケースにも取り付けることができるし、取付作業も容易であるから、従来技術の対処法に比べて究めて容易であると共に送風ファン装置の設置場所による制約を受けることもない。
（３）スタビライザーは１枚の平板体からなる単純な構造であるから耐久性に優れているし、既存の換気ファン装置に組み付けることもできるので、コスト増にならない。また、形状が簡単であるので清掃が容易であり、メンテナンス費も低減できる。
（４）スタビライザーは１枚の平板体からなるので、送風ファン装置の吸入効率を損なうことがない。
【図面の簡単な説明】
【図１】  本発明の実施の形態に係る換気ファン装置の斜視図である。
【図２】  換気ファン装置の中央縦断面図である。
【図３】  変形例に係るスタビライザーの斜視図である。
【図４】  他の変形例に係るスタビライザーの斜視図である。
【図５】  アウターケーシングを用いた換気ファン装置の外観図である。
【図６】  アウターケーシングに内設するスタビライザーの斜視図である。
【符号の説明】
１            ファンケース
２Ａ          排気口
３Ａ          吸入口
６            シロッコファン
８            スタビライザー
Ａ            開口面
【図１】
0003843350.tif 000002
【図２】
0003843350.tif 000003
【図３】
0003843350.tif 000004
【図４】
0003843350.tif 000005
【図５】
0003843350.tif 000006
【図６】
0003843350.tif 000007